(57)【要約】【課題】転写紙ごとのパンチ穴の位置精度が高くて比較的小型の給紙装置及び画像形成装置を提供する。【解決手段】収納された転写紙Ｐを給送する給紙装置１５であって、転写紙Ｐの姿勢を補正するジョガー部５２と、ジョガー部５２によって補正された転写紙Ｐにパンチ穴を穿孔するパンチ部６０とを備えた。【選択図】        図２
2004250114.tif 000002
【特許請求の範囲】
【請求項１】
収納された転写紙を給送する給紙装置であって、
前記転写紙の姿勢を補正するジョガー部と、
前記ジョガー部によって補正された前記転写紙にパンチ穴を穿孔するパンチ部とを備えたことを特徴とする給紙装置。
【請求項２】
転写紙を収納する収納部と、
前記収納部から１枚の転写紙を給送する給送部と、
前記給送部から給送された１枚の転写紙を搬送する搬送部と、
前記収納部と前記給送部と前記搬送部とを収める筐体とを備え、
前記ジョガー部及び前記パンチ部は、前記筐体に対して着脱自在に取設されたことを特徴とする請求項１に記載の給紙装置。
【請求項３】
前記筐体を設置面から離間して保持する保持部材を備え、
前記ジョガー部及び前記パンチ部は、前記保持部材によって形成される前記筐体と前記設置面との空隙に配設されたことを特徴とする請求項２に記載の給紙装置。
【請求項４】
前記保持部材は、４つのキャスターであることを特徴とする請求項３に記載の給紙装置。
【請求項５】
前記ジョガー部及び前記パンチ部は、一体的に構成されるとともに前記筐体に対する着脱を案内する案内部材を備えたことを特徴とする請求項２〜請求項４のいずれかに記載の給紙装置。
【請求項６】
前記搬送部は、前記給送部から給送された転写紙を前記ジョガー部及び前記パンチ部に向けて搬送可能に形成され、
前記ジョガー部及び前記パンチ部は、前記搬送部から搬送された前記転写紙を前記搬送部に向けて搬送可能に形成されたことを特徴とする請求項２〜請求項５のいずれかに記載の給紙装置。
【請求項７】
請求項１〜請求項６のいずれかに記載の給紙装置を備えたことを特徴とする画像形成装置。
【発明の詳細な説明】
【０００１】
【発明の属する技術分野】
この発明は、複写機、プリンタ、ファクシミリ、又は、それらの複合機等の画像形成装置と、そこに着脱自在に設置される給紙装置とに関するものである。
【０００２】
【従来の技術】
従来から、複写機等の画像形成装置において、ユーザーのファリング作業を容易にすることを目的として、画像形成後の転写紙にパンチ穴を穿孔するパンチユニットを設けたものが多く用いられている（例えば、特許文献１参照。）。
【０００３】
詳しくは、画像形成装置本体の排紙部に、画像形成後の転写紙に対して後処理をおこなう後処理装置が設置されている。この後処理装置内には、ロータリーパンチ方式のパンチユニットが設置されている。
そして、画像形成後の転写紙が画像形成装置本体から後処理装置に搬送されると、パンチユニットによって転写紙にパンチ穴が穿孔される。その後、パンチ穴が穿孔された転写紙は、後処理装置内の所定の排紙経路を経て装置外に排出される。
【０００４】
【特許文献１】
特開２００２−１４５５１５号公報（第２頁、第９図）
【０００５】
【発明が解決しようとする課題】
上述した従来の画像形成装置は、パンチユニットによって転写紙に形成するパンチ穴の位置がばらついてしまうために、その後にユーザーがファイリング作業をおこなってもファイルの見栄えがよくないという問題があった。
【０００６】
すなわち、転写紙は、画像形成装置本体の給紙部から転写部及び定着部を経由した後に、パンチユニットまで搬送されてそこでパンチ処理を受ける。このように長い搬送経路を通過することにより、パンチユニットに到達したときの転写紙の姿勢はばらついて安定しない状態になる。
【０００７】
具体的には、パンチユニットに到達したときの転写紙は、斜めになったり（このような現象を「斜行」という。）、搬送方向に直交する幅方向にスライドしたりする（このような現象を「横レジストずれ」という。）。
そして、このようにパンチユニットに到達したときの転写紙の姿勢が一定しないとき、パンチ穴が転写紙ごとに位置ずれしてしまうことになる。
【０００８】
一方、後処理装置のステープルユニット等では、ステープルトレイに積載された複数枚の転写紙の姿勢を補正するジョガー機構が用いられている。しかし、このようなジョガー機構は、少なくとも転写紙と同じ大きさの設置スペースが必要となる。そのために、パンチユニットに対する上流の搬送経路中にジョガー機構を設ける場合には、装置全体が大型化してしまうという問題が生じる。
【０００９】
この発明は、上述のような課題を解決するためになされたもので、転写紙ごとのパンチ穴の位置精度が高くて比較的小型の画像形成装置と、そこに設置される給紙装置とを提供することにある。
【００１０】
【課題を解決するための手段】
この発明の請求項１記載の発明にかかる給紙装置は、収納された転写紙を給送する給紙装置であって、前記転写紙の姿勢を補正するジョガー部と、前記ジョガー部によって補正された前記転写紙にパンチ穴を穿孔するパンチ部とを備えたものである。
【００１１】
また、請求項２記載の発明にかかる給紙装置は、上記請求項１記載の発明において、転写紙を収納する収納部と、前記収納部から１枚の転写紙を給送する給送部と、前記給送部から給送された１枚の転写紙を搬送する搬送部と、前記収納部と前記給送部と前記搬送部とを収める筐体とを備え、前記ジョガー部及び前記パンチ部は、前記筐体に対して着脱自在に取設されたものである。
【００１２】
また、請求項３記載の発明にかかる給紙装置は、上記請求項２に記載の発明において、前記筐体を設置面から離間して保持する保持部材を備え、前記ジョガー部及び前記パンチ部は、前記保持部材によって形成される前記筐体と前記設置面との空隙に配設されたものである。
【００１３】
また、請求項４記載の発明にかかる給紙装置は、上記請求項３に記載の発明において、前記保持部材を、４つのキャスターとしたものである。
【００１４】
また、請求項５記載の発明にかかる給紙装置は、上記請求項２〜請求項４のいずれかに記載の発明において、前記ジョガー部及び前記パンチ部は、一体的に構成されるとともに前記筐体に対する着脱を案内する案内部材を備えたものである。
【００１５】
また、請求項６記載の発明にかかる給紙装置は、上記請求項２〜請求項５のいずれかに記載の発明において、前記搬送部は、前記給送部から給送された転写紙を前記ジョガー部及び前記パンチ部に向けて搬送可能に形成され、前記ジョガー部及び前記パンチ部は、前記搬送部から搬送された前記転写紙を前記搬送部に向けて搬送可能に形成されたものである。
【００１６】
また、この発明の請求項７記載の発明にかかる画像形成装置は、請求項１〜請求項６のいずれかに記載の給紙装置を備えたものである。
【００１７】
【発明の実施の形態】
実施の形態．
以下、この発明の実施の形態について、図面を参照して詳細に説明する。なお、各図中、同一又は相当する部分には同一の符号を付しており、その重複説明は適宜に簡略化ないし省略する。
まず、図１にて、本実施の形態における画像形成装置全体の構成・動作について説明する。
【００１８】
図１において、１は画像形成装置としての複写機、２はトナー像が形成される感光体ドラム、３は感光体ドラム２上に静電潜像を形成する書込部、５は感光体ドラム２上を帯電する帯電部、６は感光体ドラム２上に形成された静電潜像を現像する現像部、７は感光体ドラム２上のトナー像を転写紙Ｐに転写する転写部、８は感光体ドラム２上の未転写トナーを回収するクリーニング部、１０は原稿Ｄを原稿読取部に搬送する原稿搬送部、１２、１３は収納された転写紙Ｐを搬送経路Ｋに給送するために複写機１本体に設置された給紙部、１５は収納された転写紙Ｐを複写機１本体に給送するために複写機１本体の下方に取設された給紙装置、１７は収納された転写紙Ｐを複写機１本体に給送するために複写機１本体の側方に取設された大容量給紙装置、１９は転写工程後の転写紙Ｐ上のトナー像を定着する定着部、２０は画像形成後の転写紙Ｐを後処理するために複写機１本体の側方に取設された後処理装置、５０は給紙装置１５に設けられたパンチ・ジョガーユニットを示す。
【００１９】
図１を参照して、パンチ処理をおこなわないときの、複写機１の動作について説明する。
まず、原稿Ｄは、原稿搬送部１０の搬送ローラによって、原稿台から図中の矢印方向に搬送されて、原稿読取部上を通過する。このとき、原稿読取部では、上方を通過する原稿Ｄの画像情報が光学的に読み取られる。
そして、原稿読取部で読み取られた光学的な画像情報は、電気信号に変換された後に、書込部３に転送される。そして、書込部３からは、その電気信号の画像情報に基づいたレーザ光等の露光光Ｌが、感光体ドラム２上に向けて発せられる。
【００２０】
一方、感光体ドラム２は、図中の時計方向に回転しており、まず、帯電部５との対向位置でその表面が一様に帯電される。そして、帯電部５で帯電された感光体ドラム２表面は、露光光Ｌの照射位置に達する。そして、この位置で原稿Ｄの画像情報に対応した静電潜像が形成される。
その後、潜像が形成された感光体ドラム２表面は、現像部６との対向部に達する。そして、現像部６によって、感光体ドラム２上の潜像が現像される。
【００２１】
その後、現像部６で現像された感光体ドラム２表面は、転写部７との対向部に達する。そして、この位置で、レジストローラにより搬送された転写紙Ｐ上に、感光体ドラム２上のトナー像が転写される。
このとき、感光体ドラム２上には、転写紙Ｐに転写されない未転写トナーが僅かながら残存する。
【００２２】
その後、転写部７を通過した未転写トナーを有する感光体ドラム２表面は、クリーニング部８との対向部に達する。そして、感光体ドラム２に当接するクリーニングブレードにより、未転写トナーがクリーニング部８内に回収される。
その後、クリーニング部８を通過した感光体ドラム２表面は、不図示の除電部に達する。そして、ここで感光体ドラム２表面の電位は除電されて、一連の作像プロセスを終了する。
【００２３】
一方、転写紙Ｐは、次のように動作する。
まず、複写機１本体内の２つの給紙部１２、１３、外付けされた給紙装置１５及び大容量給紙装置１７のうち、１つの給紙部が自動又は手動で選択される（例えば、装置本体の給紙部１２が選択されたものとする。）。
そして、給紙部１２に収納された複数の転写紙Ｐのうち、上方の転写紙Ｐ（１枚の転写紙Ｐとは限らない。）が、ピックアップコロによって、給紙コロ及びリバースコロの位置に向けて搬送される。そして、互いに相反する方向に回転する給紙コロ及びリバースコロによって、１枚の転写紙Ｐのみが、搬送経路Ｋの位置に向けて搬送される。
【００２４】
その後、搬送経路Ｋを通過した転写紙Ｐは、レジストローラの位置に達する。そして、レジストローラの位置に達した転写紙Ｐは、感光体ドラム２上に形成されたトナー像と位置合わせをするためにタイミングを合わせて、転写部７に向けて搬送される。
そして、転写工程後の転写紙Ｐは、転写部７の位置を通過した後に、搬送経路を経て定着部１９に達する。そして、この位置で、転写紙Ｐ上の未定着トナー像が熱と圧力とによって定着される。
【００２５】
その後、定着工程後（画像形成後）の転写紙Ｐは、後処理装置２０内に搬送される。後処理装置２０内に搬送された転写紙Ｐは、所定の排紙経路Ｍ１〜Ｍ３を経て装置外に排出される。具体的には、転写紙Ｐに後処理を施さない場合には第１排紙経路Ｍ１が選択されて、転写紙Ｐに仕分け・綴じ処理を施す場合には第２排紙経路Ｍ２が選択されて、転写紙Ｐにステープル処理を施す場合には第３排紙経路Ｍ３が選択される。
こうして、一連の画像形成プロセスが完了する。
【００２６】
次に、図２〜図６を参照して、パンチ処理に係わる構成・動作を中心にして、本実施の形態における給紙装置１５について詳述する。
図２は、複写機１本体に対して着脱自在に設置される、外付けタイプの給紙装置１５を示す構成図である。
【００２７】
図２において、２９はトレイ３６Ａ、３６Ｂ等を収める筐体、３０は転写紙Ｐを給紙コロ３１及びリバースコロ３２の位置に搬送するピックアップコロ、３１は転写紙Ｐを搬送経路Ｋに向けて搬送する給紙コロ、３２は搬送された転写紙Ｐを１枚に分離するリバースコロ、３４ａ〜３４ｃは搬送部を形成する搬送コロ、３５はトレイ３６Ａ、３６Ｂに転写紙Ｐを補給するためにトレイ３６Ａ、３６Ｂを紙面垂直方向に移動するスライドレール、３６Ａ、３６Ｂは転写紙Ｐを収納する収納部としてのトレイ、４０は筐体２９を設置面Ｓから離間して保持する保持部としてのキャスター、４５ａ〜４５ｃは転写紙Ｐの有無を検出するセンサ、５０は筐体２９の下方に取設されたパンチ・ジョガーユニット、５２はパンチ・ジョガーユニット５０のジョガー部に設置されたジョガーフェンス、５６はパンチ・ジョガーユニット５０のジョガー部に設置された給紙コロ、５７はパンチ・ジョガーユニット５０のジョガー部に設置された搬送コロ、６０はパンチ・ジョガーユニット５０のパンチ部を示す。
【００２８】
ここで、図示は省略するが、給紙装置１５における筐体２９の上面には、位置決めピンが設置されている。そして、その位置決めピンで位置を定めて、複写機１本体が給紙装置１５上に載置される（図１の状態である。）。
他方、筐体２９の下面には、４つのキャスター４０が固設されている（図２では紙面手前側の２つが図示されている）。この４つのキャスター４０によって、複写機１本体を載置した給紙装置１５を、設置面Ｓにそって移動することができる。なお、キャスター４０は、車輪の動作を規制するストッパを備えていて、これにより複写機１本体を載置した給紙装置１５を設置面Ｓ上に固定することができる。
【００２９】
また、４つのキャスター４０によって形成される筐体２９と設置面Ｓとの空隙には、筐体２９の下面に外接するように、パンチ部６０とジョガー部とが一体的に構成されたパンチ・ジョガーユニット５０が設置されている。ここで、保持部材は４つのキャスター４０以外でも、例えば、車輪を有さない３本以上の脚でもよくて、この場合にも筐体２９と設置面Ｓとの間にパンチ・ジョガーユニット５０を設置する空隙を形成することができる。なお、パンチ・ジョガーユニット５０の構成については、後で詳しく説明する。
なお、ピックアップコロ３０、給紙コロ３１、リバースコロ３２は、トレイ３６Ａ、３６Ｂから搬送部に向けて１枚の転写紙Ｐを給送する給送部を構成する。
【００３０】
図３〜図５にて、上述のように構成された給紙装置１５における、パンチ処理時の動作について説明する。
図３を参照して、まず、ユーザによってパンチ処理が選択されると、給紙装置１５における２つのトレイ３６Ａ、３６Ｂのうち、いずれかのトレイが選択される（例えば、下段のトレイ３６Ｂが選択されたものとする。）。
【００３１】
そして、トレイ３６Ｂに収納された複数の転写紙Ｐのうち、上方の転写紙Ｐ（１枚の転写紙Ｐとは限らない。）が、ピックアップコロ３０によって、給紙コロ３１及びリバースコロ３２の位置に向けて搬送される。そして、互いに相反する方向に回転する給紙コロ３１及びリバースコロ３２によって、１枚の転写紙Ｐが、搬送経路Ｋの上方に向けて搬送される。このとき、搬送部を構成する３つの搬送コロ３４ａ〜３４ｃは、すべて、転写紙Ｐを搬送経路Ｋの上方に搬送する方向に回転している。
【００３２】
その後、搬送経路Ｋの上方に向けて搬送された転写紙Ｐは、転写紙Ｐの後端が下段のセンサ４５ｂの位置に達したときに停止する（図中のＰ１の位置である。）。その後、転写紙Ｐは、搬送経路Ｋの下方に向けて搬送される。すなわち、下段のセンサ４５ｂが転写紙Ｐの後端が通過するのを検出すると、３つの搬送コロ３４ａ〜３４ｃは逆方向に回転するように制御されて、転写紙Ｐが搬送経路Ｋの下方に逆転搬送（スイッチバック）される。このとき、パンチ・ジョガーユニット５０に設置された搬送コロ５７が、図中の時計方向に回転を開始する。
【００３３】
その後、搬送経路Ｋの下方に向けて搬送された転写紙Ｐは、下段の搬送コロ３４ｃを通過して、パンチ・ジョガーユニット５０に向けて搬送される。そして、パンチ・ジョガーユニット５０に搬送された転写紙Ｐは、パンチ部６０を通過した後に、搬送コロ５７によってジョガー部に導かれる（図中のＰ２の位置である。）。このとき、ジョガー部の搬送コロ５７は、センサ４５ｃが転写紙Ｐの後端を検出するのをトリガーにして、その回転を停止するとともに、上方に退避する（図中の破線部への移動である。）。
【００３４】
そして、パンチ・ジョガーユニット５０のジョガー部に収納された転写紙Ｐは、ジョガー部に設置されたジョガーフェンス５２によって、その姿勢が補正される。
詳しくは、図４を参照して、まず、搬送コロ５７によって搬送される転写紙Ｐの後端がセンサ４５ｃによって検出されると、搬送コロ５７は上方に退避して転写紙Ｐの搬送を停止する。
【００３５】
これと同時に、ステッピングモータ５１のモータ軸が、正逆双方向に回動する。そして、ステッピングモータ５１の動作に連動して、無端のタイミングベルト５３が周方向に対して正逆双方向に走行する。ここで、ジョガーフェンス５２をそれぞれ支持する１対のジョガーフェンス支持部５２ａ、５２ｂは、タイミングベルト５３の正逆双方向への走行に連動して２つのジョガーフェンス支持部５２ａ、５２ｂ間の距離を狭めたり拡げたりするように、タイミングベルト５３にそれぞれ連結されている。
なお、無端のタイミングベルト５３は、ジョガー部の一端側のステッピングモータ５１におけるモータ軸に設置されたプーリと、他端側に設置されたプーリ５４とによって、張架・支持されている。
【００３６】
このように、２つのジョガーフェンス支持部５２ａ、５２ｂに支持されたジョガーフェンス５２が、図４中の矢印方向に移動することによって、ジョガー部に収納された転写紙Ｐに斜行や横レジストずれが生じた場合であってもその姿勢が補正される。
さらに詳しくは、まず、ジョガー部に設置されたホームポジション・センサ（不図示である。）によって、２つのジョガーフェンス５２の間隔が最大になるように、ジョガーフェンス５２の位置が調整される。そして、ジョガー部に収納される転写紙Ｐのサイズに応じてステッピングモータ５１を所定角度だけ回転させて、２つのジョガーフェンス５２の間隔を狭める（転写紙Ｐサイズとほぼ同じ間隔となる。）。このようなジョガーフェンス５２の往復動作が何回か繰り返されることで、ジョガーフェンス５２の当接力によって転写紙Ｐの姿勢が補正される。
【００３７】
その後、ステッピングモータ５１の回動が停止すると、ジョガー部に設置された給紙コロ５６が回転を開始する（図３の反時計方向の回転である。）。そして、ジョガー処理された転写紙Ｐは、給紙コロ５６によって、ジョガー部からパンチ部６０に向けて搬送される。
図４を参照して、パンチ部６０に搬送された転写紙Ｐは、駆動モータ７２にギア列７３を介して連結されたパンチ部６０によって、パンチ処理を受ける。
【００３８】
詳しくは、図５（Ａ）を参照して、パンチ部６０は、パンチ６２を備えたパンチローラ６１、ダイス６５を備えたダイスローラ６４、転写紙Ｐの搬送を案内するガイド板６９等で構成される。パンチローラ６１及びダイスローラ６４は、図４の駆動モータ７２によって、図５（Ａ）中の矢印方向に回転する。そして、図５（Ｂ）に示すように、転写紙Ｐの先端部がパンチローラ６１及びダイスローラ６４のニップ部に搬送されてきたときに、パンチ６２とダイス６５とが係合して転写紙Ｐにパンチ孔Ｈが穿孔される。
【００３９】
そして、パンチ穴Ｈが形成された転写紙Ｐは、ガイド板６９に案内されて、パンチ部６０を通過して、一連のジョガー処理及びパンチ処理を終了する。
なお、本実施の形態では、パンチ部６０として、転写紙Ｐを搬送しながらパンチ処理をおこなうロータリーパンチ方式のものを用いたが、転写紙Ｐを停止させた状態でパンチ処理をおこなうプレスパンチ方式を用いることもできる。
【００４０】
その後、パンチ穴Ｈが形成された転写紙Ｐは、図３を参照して、搬送部の搬送コロ３４ａ〜３４ｃを通過して、図１で説明したレジストローラの位置に達する。そして、レジストローラの位置に達した転写紙Ｐは、図１で説明したように、転写部７での転写工程と定着部１９での定着工程とを経て、後処理装置２０外に排出される。なお、このとき、給紙装置１５の３つの搬送コロ３４ａ〜３４ｃは、転写紙Ｐを搬送経路Ｋの上方に搬送する方向に回転している。
【００４１】
なお、給紙装置１５にてパンチ処理をおこなわないで、通常の給紙をおこなうときには、搬送部によるパンチ・ジョガーユニット５０への転写紙Ｐの搬送はおこなわれない。すなわち、トレイ３６Ａ、３６Ｂから給送された転写紙Ｐは、搬送経路Ｋを経て、スイッチバックすることなく複写機１本体に向けて搬送される。
【００４２】
次に、図６を参照して、パンチ・ジョガーユニット５０の着脱操作について説明する。
パンチ・ジョガーユニット５０には、紙面垂直方向に１対の案内部材としてのスライドレール８０が設置されている。そして、このスライドレール８０によって、パンチ・ジョガーユニット５０は、筐体２９下方に取設されるとともに、筐体２９への着脱操作が可能になる。
【００４３】
すなわち、パンチ・ジョガーユニット５０は、スライドレール８０に案内されて図６中の矢印方向に引き出される。これにより、パンチ・ジョガーユニット５０内で転写紙Ｐの紙づまり（ジャム）が発生しても、パンチ・ジョガーユニット５０を引き出してそのメンテナンスを容易におこなうことができる。
これに対して、パンチ・ジョガーユニット５０がスライドレール８０に案内されて筐体２９に設置されるときには、双方の部材にそれぞれ設置された位置決めピン及び位置決め穴（不図示である。）によって、筐体２９に対するパンチ・ジョガーユニット５０の位置が正確に定まる。
なお、パンチ・ジョガーユニット５０の着脱方向は図６の方向に限定されず、図６の紙面垂直方向への着脱方向とすることもできる。
【００４４】
以上説明したように、本実施の形態においては、長い搬送経路を経ることなく給紙装置１５から給送された後の転写紙Ｐに対して、ジョガー処理をした直後にパンチ処理をしているので、転写紙Ｐにおけるパンチ穴Ｈの位置精度が高くなる。
また、本実施の形態においては、給紙装置１５の下方の空隙を利用して、トレイ３６Ａ、３６Ｂの投影面積とほぼ同じ投影面積となるパンチ・ジョガーユニット５０を設置しているので、装置を小型化することができる。
【００４５】
なお、本発明が上記実施の形態に限定されず、本発明の技術思想の範囲内において、実施の形態の中で示唆した以外にも、実施の形態は適宜変更され得ることは明らかである。また、上記構成部材の数、位置、形状等は上記実施の形態に限定されず、本発明を実施する上で好適な数、位置、形状等にすることができる。
【００４６】
【発明の効果】
本発明は以上のように構成されているので、転写紙ごとのパンチ穴の位置精度が高くて比較的小型の給紙装置及び画像形成装置を提供することができる。
【図面の簡単な説明】
【図１】この発明の実施の形態における画像形成装置を示す構成図である。
【図２】図１の画像形成装置に設置される給紙装置を示す構成図である。
【図３】図２の給紙装置における、パンチ処理時の転写紙の搬送位置を示す図である。
【図４】図２の給紙装置に設置されるパンチ・ジョガーユニットを示す上面図である。
【図５】図４のパンチ・ジョガーユニットにおけるパンチ部を示す構成図である。
【図６】図４のパンチ・ジョガーユニットを引き出した状態を示す図である。
【符号の説明】
１  画像形成装置、  ２  感光体ドラム、  ７  転写部、
１２、１３  給紙部、  １５  給紙装置、  １７  大容量給紙装置、
１９  定着部、  ２０  後処理装置、  ２９  筐体、
３０  ピックアップコロ、  ３１  給紙コロ、  ３２  リバースコロ、
３４ａ〜３４ｃ  搬送コロ、  ３５  スライドレール、
３６Ａ、３６Ｂ  トレイ（収納部）、  ４０  キャスター（保持部材）、
４５ａ〜４５ｃ  センサ、  ５０  パンチ・ジョガーユニット、
５１  ステッピングモータ、  ５２  ジョガーフェンス、
５２ａ、５２ｂ  ジョガーフェンス支持部、  ５３  タイミングベルト、
５４  プーリ、  ５６  給紙コロ、  ５７  搬送コロ、  ６０  パンチ部、
６１  パンチローラ、  ６２  パンチ、  ６４  ダイスローラ、
６５  ダイス、  ６９  ガイド板、  ７２  駆動モータ、  ７３  ギア列、
８０  スライドレール（案内部材）、
Ｋ  搬送経路、  Ｐ  転写紙、  Ｓ  設置面。
【図１】
2004250114.tif 000003
【図２】
2004250114.tif 000004
【図３】
2004250114.tif 000005
【図４】
2004250114.tif 000006
【図５】
2004250114.tif 000007
【図６】
2004250114.tif 000008